(57)【要約】本開示は、複数の物品を一時的に１つに保持するように構成されている接続要素であって、基部部材を有し、その基部部材は、第１の第２物品を基部部材に対して保持するように構成されている第１の接着領域と、第２の第２物品を基部部材に対して保持するように構成されている第２の接着領域とを備え、両接着領域は電気的に弱くできる接着剤を有する、接続要素に関する。電気的に弱くできる接着剤を有する複数の接着領域を備えているパッケージと物品も開示される。
2009502682.tif 000002
【特許請求の範囲】
【請求項１】
複数の第２の物品を一時的に１つに保持するように構成されている接続要素であって、基部部材を有し、該基部部材は、第１の第２物品を該基部部材に対して保持するように構成されている第１の接着領域と、第２の第２物品を該基部部材に対して保持するように構成されている第２の接着領域とを備え、前記両接着領域は電気的に弱くできる接着剤を有する、接続要素。
【請求項２】
複数の第２の物品を一時的に１つに保持するように構成されている接続要素であって、基部部材を有し、該基部部材は、第１の第２物品を該基部部材に対して保持するように構成されている第１の接着領域と、第２の第２物品を該基部部材に対して保持するように構成されている第２の接着領域とを備え、前記両接着領域は、導電性であって電気的に弱くできる接着剤を受け入れるように構成されている第１の活性表面を有しており、前記第１活性表面は、前記電気的に弱くできる接着剤に電圧を印加するように構成されている電気回路の一部分を構成している、接続要素。
【請求項３】
該接続要素にはそれぞれの前記接着領域に電圧を印加するために使用されるように構成されている少なくとも１つの導体が設けられている、請求項１または２に記載の接続要素。
【請求項４】
該接続要素上の第１導体は前記１つまたは２つ以上の第２物品上の第２の導体と組み合わされてそれぞれの前記接着領域に電圧を印加するように構成されている、請求項３に記載の接続要素。
【請求項５】
該接続要素にはそれぞれの前記接着領域に電圧を印加するように構成されている一式の少なくとも２つの導体が設けられている、請求項１または２に記載の接続要素。
【請求項６】
両前記接着領域は互いに分離されている、請求項１から５のいずれか１項に記載の接続要素。
【請求項７】
両前記接着領域は互いに並列に電気的に接続されている、請求項６に記載の接続要素。
【請求項８】
前記導体は外部の電力源に接続されるように構成されている複数の接続部分を有している、請求項３から７のいずれか１項に記載の接続要素。
【請求項９】
該接続要素は、複数の前記接着領域を通して互いに接続されている第１と第２の導体を有する、請求項１から８のいずれか１項に記載の接続要素。
【請求項１０】
前記基部部材は非導電性材料で構成されている、請求項１から９のいずれか１項に記載の接続要素。
【請求項１１】
前記基部部材は厚紙で構成されている、請求項１から１０のいずれか１項に記載の接続要素。
【請求項１２】
導電性であって、互いに離れて構成されており、電気回路を通して互いに電気的に接続可能に構成されている第１と第２の活性表面をさらに有し、前記電気的に弱くできる接着剤は前記第１と第２の活性表面の間の距離を埋めるように構成されている、請求項１から１１のいずれか１項に記載の接続要素。
【請求項１３】
閉じた電気回路内でそれぞれの前記接着領域に電圧を印加するように作動され、前記複数の導体に接続するように構成されている内部電力源を有する、請求項３から１２のいずれか１項に記載の接続要素。
【請求項１４】
前記第１活性表面は第１の電極電位を備えている第１の材料であって、前記第２活性表面は第２の電極電位を備えている第２の材料であって、前記第１電極電位は前記第２電極電位とは異なる、請求項１２に記載の接続要素。
【請求項１５】
パッケージは少なくとも１つの印刷されているおよび／または積層されている電池をさらに有する、請求項１３または１４に記載の接続要素。
【請求項１６】
前記少なくとも１つの印刷されているおよび／または積層されている電池は第１支持層上に印刷されている、請求項１５に記載の接続要素。
【請求項１７】
表面を備えている第１支持層であって、第１活性表面は導電性であって該第１支持層によって支持されており、第２活性表面は導電性であって該第１支持層によって支持されている、該第１支持層をさらに有し、前記第１活性表面は前記第２活性表面から前記第１支持層の前記表面に沿った第１の距離離れており、前記積層構造は両前記活性表面の間の距離を埋める電気的に弱くできる接着剤を受け入れるように構成されている、請求項１から１６のいずれか１項に記載の接続要素。
【請求項１８】
両前記活性表面の少なくとも一方の一部分は、露出して、前記接着剤に覆われるように構成されている、請求項１２から１７のいずれか１項に記載の接続要素。
【請求項１９】
前記第１活性表面の少なくとも一部分と、前記第２活性表面の少なくとも一部分とは露出して、前記接着剤に覆われるように構成されている、請求項１２から１７のいずれか１項に記載の接続要素。
【請求項２０】
両前記活性表面は前記第１支持層の前記表面上の前記第１活性表面の突出部が前記第１支持層の前記表面の前記第２活性表面の突出部を本質的に囲むように形作られている、請求項１７から１９のいずれか１項に記載の接続要素。
【請求項２１】
前記第１支持層の前記表面上の前記第１活性表面の突出部と前記第１支持層の前記表面上の前記第２活性表面の突出部とは少なくとも部分的に互いに重なっており、前記積層構造は前記第１と第２の活性表面の間の少なくとも前記重なった部分に設けられている絶縁層をさらに有する、請求項１７から２０のいずれか１項に記載の接続要素。
【請求項２２】
前記第１活性表面は、前記第１支持層の前記表面上の前記突出部が前記第１支持層の前記表面上の前記第２活性表面の前記突出部を囲むように閉じた輪に構成されており、前記第２活性表面は前記第１活性表面の前記閉じた輪から外へ延びている接続部分を有しており、前記電気絶縁層は前記第２活性表面の前記接続部分を前記第１活性表面から分離している、請求項２１に記載の接続要素。
【請求項２３】
前記第１と第２の活性表面の間の前記距離を埋めており、両前記活性表面と第２支持層との間に配置されるように構成されている電気的に弱くできる接着剤をさらに有する、請求項１２から２２のいずれか１項に記載の接続要素。
【請求項２４】
前記電気的に弱くできる接着剤と前記第２支持層との間に位置するように構成されている層として配置されている電気的に弱くできない接着剤をさらに有する、請求項２３に記載の接続要素。
【請求項２５】
パッケージであって、第１の接着領域を有し、前記第１接着領域によって１つまたは２つ以上の他のパッケージに一時的に接続されるように構成されており、前記接着領域は電気的に弱くできる接着剤を有する、パッケージ。
【請求項２６】
パッケージであって、第１の接着領域を有し、前記第１接着領域によって１つまたは２つ以上の他のパッケージに一時的に接続されるように構成されており、前記接着領域は導電性であって、電気的に弱くできる接着剤を受け入れるように構成されている第１の活性表面を有しており、前記第１活性表面は前記電気的に弱くできる接着剤に電圧を印加するように構成されている電気回路の一部分を構成している、パッケージ。
【請求項２７】
該パッケージには前記接着領域に電圧を印加するために使用されるように構成されている少なくとも１つの導体が設けられている、請求項２５または２６に記載のパッケージ。
【請求項２８】
前記１つまたは２つ以上の他のパッケージには該パッケージ上の前記導体と組み合わされてそれぞれの前記接着領域に電圧を印加するように構成されている導体が設けられている、請求項２７に記載のパッケージ。
【請求項２９】
該パッケージにはそれぞれの前記接着領域に電圧を印加するように構成されている一式の少なくとも２つの導体が設けられている、請求項２５または２６に記載のパッケージ。
【請求項３０】
該パッケージは複数の接着領域が設けられている、請求項２５から２９のいずれか１項に記載のパッケージ。
【請求項３１】
第１の前記接着領域は該パッケージを第２のパッケージに一時的に接続するように構成されており、第２の前記接着領域は該パッケージを第３のパッケージに一時的に接続するように構成されている、請求項３０に記載のパッケージ。
【請求項３２】
前記複数の接着領域は互いに分離されている、請求項３０または３１に記載のパッケージ。
【請求項３３】
第１と第２の前記接着領域が該パッケージを第２のパッケージに接続するように構成されている、請求項３２に記載のパッケージ。
【請求項３４】
前記複数の接着領域は互いに並列に電気的に接続されている、請求項３０から３３のいずれか１項に記載のパッケージ。
【請求項３５】
前記少なくとも１つの導体は外部の電力源に接続されるように構成されている複数の接続部分を有している、請求項２９から３４のいずれか１項に記載のパッケージ。
【請求項３６】
該パッケージは、複数の前記接着領域を通して互いに接続されている第１と第２の導体を有する、請求項２５から３５のいずれか１項に記載のパッケージ。
【請求項３７】
導電性であって、互いに離れて構成されており、電気回路を通して互いに電気的に接続可能に構成されている第１と第２の活性表面をさらに有し、前記電気的に弱くできる接着剤は前記第１と第２の活性表面の間の距離を埋めるように構成されている、請求項２５から３６のいずれか１項に記載のパッケージ。
【請求項３８】
閉じた電気回路内でそれぞれの前記接着領域に電圧を印加するように作動され、前記複数の導体に接続されるように構成されている内部電力源を有する、請求項２５から３７のいずれか１項に記載のパッケージ。
【請求項３９】
前記第１活性表面は第１の電極電位を備えている第１の材料であって、前記第２活性表面は第２の電極電位を備えている第２の材料であって、前記第１電極電位は前記第２電極電位とは異なる、請求項３８に記載のパッケージ。
【請求項４０】
少なくとも１つの印刷されているおよび／または積層されている電池をさらに有する、請求項３８または３９に記載のパッケージ。
【請求項４１】
前記少なくとも１つの印刷されているおよび／または積層されている電池は第１支持層上に印刷されている、請求項４０に記載のパッケージ。
【請求項４２】
表面を備えている第１支持層であって、第１活性表面は導電性であって該第１支持層によって支持されており、第２活性表面は導電性であって該第１支持層によって支持されている、該第１支持層をさらに有し、前記第１活性表面は前記第２活性表面から前記第１支持層の前記表面に沿った第１の距離離れており、前記積層構造は両前記活性表面の間の距離を埋める電気的に弱くできる接着剤を受け入れるように構成されている、請求項２５から４１のいずれか１項に記載のパッケージ。
【請求項４３】
両前記活性表面の少なくとも一方の一部分は、露出して、前記接着剤に覆われるように構成されている、請求項３７から４２のいずれか１項に記載のパッケージ。
【請求項４４】
前記第１活性表面の少なくとも一部分と、前記第２活性表面の少なくとも一部分とは露出して、前記接着剤に覆われるように構成されている、請求項３７から４２のいずれか１項に記載のパッケージ。
【請求項４５】
両前記活性表面は、前記第１支持層の前記表面上の前記第１活性表面の突出部が前記第１支持層の前記表面上の前記第２活性表面の突出部を本質的に囲むように形作られている、請求項３７から４４のいずれか１項に記載のパッケージ。
【請求項４６】
前記第１支持層の前記表面上の前記第１活性表面の突出部と前記第１支持層の前記表面上の前記第２活性表面の突出部とは少なくとも部分的に互いに重なっており、前記積層構造は前記第１と第２の活性表面の間の少なくとも前記重なった部分に設けられている絶縁層をさらに有する、請求項３７から４５のいずれか１項に記載のパッケージ。
【請求項４７】
前記第１活性表面は、前記第１支持層の前記表面上の前記突出部が前記第１支持層の前記表面上の前記第２活性表面の前記突出部を囲むように閉じた輪に構成されており、前記第２活性表面は前記第１活性表面の前記閉じた輪から外へ延びている接続部分を有しており、前記電気絶縁層は前記第２活性表面の前記接続部分を前記第１活性表面から分離している、請求項４６に記載のパッケージ。
【請求項４８】
前記第１と第２の活性表面の間の前記距離を埋めており、両前記活性表面と第２支持層との間に配置されるように構成されている電気的に弱くできる接着剤をさらに有する、請求項３７から４７のいずれか１項に記載のパッケージ。
【請求項４９】
前記電気的に弱くできる接着剤と前記第２支持層との間に位置するように構成されている層として配置されている電気的に弱くできない接着剤をさらに有する、請求項４８に記載のパッケージ。
【請求項５０】
前記第１および／または第２支持層は非導電性材料で構成されている、請求項２５から４９のいずれか１項に記載のパッケージ。
【請求項５１】
前記第１および／または第２支持層は厚紙で構成されている、請求項２５から５０のいずれか１項に記載のパッケージ。
【請求項５２】
取り扱い用要素を構成する物品であって、少なくとも１つの第２の物品を前記取り扱い用要素に対して一時的に保持するように構成されている第１接着領域と、前記取り扱い用要素と前記取り扱い用要素に接続されている前記第２物品とが取り扱われるように構成される係合領域と、を有し、前記接着領域は電気的に弱くできる接着剤を有する、物品。
【請求項５３】
取り扱い用要素を構成する物品であって、少なくとも１つの第２の物品を前記取り扱い用要素に対して一時的に保持するように構成されている第１接着領域と、前記取り扱い用要素と前記取り扱い用要素に接続されている前記第２物品とが取り扱われるように構成される係合領域と、を有し、前記接着領域は導電性であって、電気的に弱くできる接着剤を受け入れるように構成されている第１の活性表面を有しており、前記第１活性表面は前記電気的に弱くできる接着剤に電圧を印加するように構成されている電気回路の一部分を構成している、物品。
【請求項５４】
少なくとも１つの第２物品を前記取り扱い用要素に対して一時的に保持するように構成されている第２の接着領域をさらに有し、前記第２接着領域は電気的に弱くできる接着剤を有する、請求項５３または５４に記載の物品。
【請求項５５】
前記取り扱い用要素は前記両接着領域の間に位置している前記係合領域を備えているスリングを構成する、請求項５４に記載の物品。
【請求項５６】
両前記接着領域は互いに分離されている、請求項５４または５５に記載の物品。
【請求項５７】
該物品にはそれぞれの前記接着領域に電圧を印加するために使用されるように構成されている少なくとも１つの導体が設けられている、請求項５２から５６のいずれか１項に記載の物品。
【請求項５８】
前記１つまたは２つ以上の他の第２物品には該物品上の前記導体と組み合わされてそれぞれの前記接着領域に電圧を印加するように構成されている導体が設けられている、請求項５７に記載の物品。
【請求項５９】
該物品にはそれぞれの前記接着領域に電圧を印加するように構成されている一式の少なくとも２つの導体が設けられている、請求項５２から５８のいずれか１項に記載の物品。
【請求項６０】
第１の接着領域は該物品を第１の第２物品に一時的に接続するように構成されており、第２の接着領域は該物品を第２の第２物品に一時的に接続するように構成されている、請求項５３から５９のいずれか１項に記載の物品。
【請求項６１】
両前記接着領域は互いに並列に電気的に接続されている、請求項５２から６０のいずれか１項に記載の物品。
【請求項６２】
前記導体は外部の電力源に接続されるように構成されている複数の接続部分を有している、請求項５７から６１のいずれか１項に記載の物品。
【請求項６３】
該物品は、複数の前記接着領域を通して互いに接続されている第１と第２の導体を有する、請求項５２から６２のいずれか１項に記載の物品。
【請求項６４】
導電性であって、互いに離れて構成されており、電気回路を通して互いに電気的に接続可能に構成されている第１と第２の活性表面をさらに有し、前記電気的に弱くできる接着剤は前記第１と第２の活性表面の間の距離を埋めるように構成されている、請求項５２から６３のいずれか１項に記載の物品。
【請求項６５】
閉じた電気回路内でそれぞれの前記接着領域に電圧を印加するように作動され、前記複数の導体に接続するように構成されている内部電力源を有する、請求項５２から６４のいずれか１項に記載の物品。
【請求項６６】
前記第１活性表面は第１の電極電位を備えている第１の材料であって、前記第２活性表面は第２の電極電位を備えている第２の材料であって、前記第１電極電位は前記第２電極電位とは異なる、請求項６５に記載の物品。
【請求項６７】
少なくとも１つの印刷されているおよび／または積層されている電池をさらに有する、請求項６５または６６に記載の物品。
【請求項６８】
前記少なくとも１つの印刷されているおよび／または積層されている電池は第１支持層上に印刷されている、請求項５７に記載の物品。
【請求項６９】
表面を備えている第１支持層であって、第１活性表面は導電性であって該第１支持層によって支持されており、第２活性表面は導電性であって該第１支持層によって支持されている、該第１支持層をさらに有し、前記第１活性表面は前記第２活性表面から前記第１支持層の前記表面に沿った第１の距離離れており、前記積層構造は両前記活性表面の間の距離を埋めるように電気的に弱くできる接着剤を受け入れるように構成されている、請求項５２から６８のいずれか１項に記載の物品。
【請求項７０】
両前記活性表面の少なくとも一方の一部分は、露出して、前記接着剤に覆われるように構成されている、請求項６４から６９のいずれか１項に記載の物品。
【請求項７１】
前記第１活性表面の少なくとも一部分と、前記第２活性表面の少なくとも一部分とは露出して、前記接着剤に覆われるように構成されている、請求項６４から６９のいずれか１項に記載の物品。
【請求項７２】
両前記活性表面は、前記第１支持層の前記表面上の前記第１活性表面の突出部が前記第１支持層の前記表面上の前記第２活性表面の突出部を本質的に囲むように形作られている、請求項６４から７１のいずれか１項に記載の物品。
【請求項７３】
前記第１支持層の前記表面上の前記第１活性表面の突出部と前記第１支持層の前記表面上の前記第２活性表面の突出部とは少なくとも部分的に互いに重なっており、前記積層構造は前記第１と第２の活性表面の間の少なくとも前記重なった部分に設けられている絶縁層をさらに有する、請求項６９から７２のいずれか１項に記載の物品。
【請求項７４】
前記第１活性表面は、前記第１支持層の前記表面上の前記突出部が前記第１支持層の前記表面上の前記第２活性表面の前記突出部を囲むように閉じた輪に構成されており、前記第２活性表面は前記第１活性表面の前記閉じた輪から外へ延びている接続部分を有しており、前記電気絶縁層は前記第２活性表面の前記接続部分を前記第１活性表面から分離している、請求項７３に記載の物品。
【請求項７５】
前記第１と第２の活性表面の間の前記距離を埋めており、両前記活性表面と第２支持層との間に配置されるように構成されている電気的に弱くできる接着剤をさらに有する、請求項６４から７４のいずれか１項に記載の物品。
【請求項７６】
前記電気的に弱くできる接着剤と前記第２支持層との間に位置するように構成されている層として配置されている電気的に弱くできない接着剤をさらに有する、請求項７５に記載の物品。
【請求項７７】
前記第１支持層は非導電性材料で構成されている、請求項５３から７６のいずれか１項に記載の物品。
【請求項７８】
前記第１支持層は厚紙で構成されている、請求項５３から７７のいずれか１項に記載の物品。
【請求項７９】
前記第２物品は、少なくとも他のパッケージに接続されている、請求項２５から５１のいずれか１項に記載のパッケージを少なくとも１つ有している、請求項５２から７８のいずれか１項に記載の物品。
【請求項８０】
前記第１の第２物品と前記第２の第２物品とは請求項２５から５１のいずれか１項に記載のパッケージを有している、請求項５２から７９のいずれか１項に記載の物品。
【請求項８１】
前記第２物品は、請求項１から２４のいずれか１項に記載の接続要素によって一時的に１つに保持される、請求項５２から８０のいずれか１項に記載の物品。
【請求項８２】
複数の該パッケージは、請求項１から２４のいずれか１項に記載の接続要素によって一時的に１つに保持される、請求項２５から５１のいずれか１項に記載のパッケージ。
【請求項８３】
パッケージなどの複数の物品を流通させる方法であって、請求項１から２４のいずれか１項に記載の接続要素を用意するステップと、少なくとも２つの第２の物品を前記第１と第２の接着領域にそれぞれ接続するステップと、前記接続要素と、前記接続要素に接続されている前記少なくとも２つの第２物品とを流通させるステップと、前記少なくとも２つの第２物品を前記接続要素から分離するステップと、を有する方法。
【請求項８４】
複数のパッケージを流通させる方法であって、少なくとも１つの第１の請求項２５から５１のいずれか１項に記載の第１パッケージを用意するステップと、少なくとも１つの第２パッケージまたは少なくとも第２の第１パッケージを前記第１パッケージに接続するステップと、前記第１パッケージと前記第１パッケージに接続されている前記他のパッケージとを流通させるステップと、複数の前記パッケージを互いに分離するステップと、を有する方法。
【請求項８５】
第２の物品を流通させる方法であって、請求項５２から７８のいずれか１項に記載の取り扱い用要素を構成する物品を用意するステップと、少なくとも１つの第２の物品を前記取り扱い用要素に接続するステップと、前記取り扱い用要素と、前記取り扱い用要素に接続されている前記第２物品とを流通させるステップと、前記第２物品を前記取り扱い用要素から分離するステップと、を有する方法。
【発明の詳細な説明】
【技術分野】
【０００１】
本発明は配送の新規の種類の解決策に関する。本発明は、たとえば、流通用パッケージの一体の部分として、流通用パッケージの追加部分として、または流通用パッケージの代替品としてさえ、使用することができる。
【背景技術】
【０００２】
大きな流通用パッケージ内に入れて製品を流通させ、その後店舗のカウンタの後ろで製品を顧客が購入する量を紙袋等に詰め直す古い方法は、ほぼ完全に見られなくなった。何十年も前に、梱包済みの製品が棚に保管され、そこから消費者自らが製品を取る大規模なセルフサービスの店舗が広まったことが、梱包産業界における大きな発展につながった。
【０００３】
今日では、ほとんどすべての消費材は、全く同一のパッケージを使用して、製造現場または処理現場で梱包され、流通し、販売され、そして消費者の家庭でも保管されることがよくある。ほとんどすべての種類の製品に使用される１つの一般的な種類のパッケージは、厚紙で作られている箱である。厚紙の箱は、たとえば、乾燥食品と、ねじや釘などの小さい品目に広く使用されている。厚紙の箱は、内側の袋を設けることによって、液体やココアや粉ミルクなどの粉製品にも使用することができる。厚紙の箱は、厚紙にプラスチック材料を積層することによって、液密に作ることもできる。
【０００４】
厚紙の箱は、電子レンジで調理可能なレトルト食の箔で覆われている紙皿を収容している外側の箱や、香水瓶などの外側の箱などの外側のパッケージとして使用されることも多い。
【０００５】
他の種類の消費者用パッケージにはプラスチックの瓶、ガラスの瓶、プラスチックの箱、金属の缶、ガラスのジャーなどがある。
【０００６】
すべての種類の消費者用パッケージに共通なことは、それらが消費者に対応した容積つまり量の対象となる製品を収容していることである。そのため、各消費者用パッケージの量は、各店舗で売られている総量に比べて比較的小さく、同じ流通領域内の多数の店舗に対して流通される総量に比べるとさらに小さい。店舗や流通の従業者が消費者用パッケージを１つずつ扱うのは実用的ではない。これがいくつかの消費者用パッケージを収容している流通用パッケージが広く使用される主な理由である。
【非特許文献１】Ｇ．  Ｓ．  Ｓｈａｐｏｖａｌ著「Ｃａｔｈｏｄｉｃ  ｉｎｉｔｉａｔｉｏｎ  ｏｆ  ｒｅａｃｔｉｏｎｓ  ｏｆ  ｍａｃｒｏｍｏｌｅｃｕｌｅ  ｆｏｒｍａｔｉｏｎ  ａｎｄ  ｄｅｇｒａｄａｔｉｏｎ」、Ｔｈｅｏｒｅｔｉｃａｌ  ａｎｄ  Ｅｘｐｅｒｉｍｅｎｔａｌ  Ｃｈｅｍｉｓｔｒｙ、  Ｖｏｌｕｍｅ  ３０、  Ｎｕｍｂｅｒ  ６、Ｎｏｖｅｍｂｅｒ  １９９５
【特許文献１】米国特許第６，６２０，３０８号
【発明の開示】
【発明が解決しようとする課題】
【０００７】
１つの一般的に使用されるパッケージは、複数の消費者用パッケージを収容している段ボールの箱である。段ボールは、通常、端部が開いた箱を構成するように折り曲げられ、複数の消費者用パッケージが詰められ、２つまたは３つ以上のフラップを１つにのり付けすることによって閉じられる。自動処理では、数個の消費者用パッケージを集めて並べ、それから、複数の消費者用パッケージの回りを段ボールで包み、最後に１つまたは２つ以上のフラップを１つにのり付けすることによって段ボールの箱を閉じることで段ボールの箱が構成されることも一般的である。段ボール箱は、ナイフで段ボールを切断するか、のり付けされている複数のフラップを手で裂くか、ミシン目に沿って段ボールを手で裂くことによって通常開かれる。ナイフを使用すると、従業者が怪我をしたり、消費者用パッケージを傷つけたりする危険性が発生する。消費者用パッケージを１つずつ取り扱わずに済むように、数個の消費者用パッケージを棚の上に１度に持ち上げて載せることができるように、流通用パッケージの一部分がそのまま底のトレー等にできることも好ましいことが多い。そのようなパッケージは裂く動作によって開くように通常構成されている。しかし、段ボール箱は、店員がのり付けされているフラップを裂くときや、任意のミシン目に沿って段ボール箱を裂く時に、単に裂いて開く代わりにばらばらに引き裂かれることが多い。これは、製品や店の評価を下げる低品質であるという印象を与えることになるため、満足できるものではない。トレーには、必要な安定性をもたらすために、リムが通常必要であるので、つまり複数の側壁の下側部分を通常残す必要があるので、そのような流通用パッケージを複数の消費者用パッケージを傷つけずにナイフを使用して開くことは難しい。代わりに複数の噛み合わされるフラップを使用して段ボール箱を閉じることもできる。しかし、そのような箱を自動的に閉じることは困難なことが多い。さらに、複数のフラップは、箱を店舗の棚に置く時に、裂いたり切断する動作によって取り除くことが必要なことが多い。したがって、このような種類の箱には、前述のような段ボールを裂いたり切断することに関連する問題もある。
【０００８】
流通用パッケージを実現する容易で安価な方法は、プラスチックフィルムで数個の消費者用パッケージを包装することである。しかし、これには、複数の消費者用パッケージそれ自体が比較的形状が安定していることが必要なことが多い。複数の消費者用パッケージを店舗の棚に置こうとする時には、店員がナイフを使用してフィルムの包装を切断して開き、複数の消費者用パッケージを１つずつ棚に置く。ナイフを使用すると、店員が怪我をしたり、消費者用パッケージを傷つけたりする危険性が発生する。さらに、店員は依然として複数の消費者用パッケージを１つずつ扱わなければならない。複数の消費者用パッケージをトレーに載せ、それから複数の消費者用パッケージと共にトレーをフィルムで包装することによって、このように１つずつ取り扱わずに済むかもしれない。この種類の流通用パッケージは、トレー上で立てたまま流通させる複数の金属缶、プラスチック瓶、およびプラスチックチューブに使用されることも多い。しかし、それでも、フィルム包装を切断して開かなければならない。
【０００９】
消費者用パッケージと流通用パッケージはほとんどすべての業種で数十年の間に広く使用されてきたが、様々な種類の流通用パッケージにはすべて前述のように関連する様々な問題がある。
【００１０】
技術分野では、ポリマー鎖は電圧を印加することによって破壊できることが周知である。これは、たとえば、Ｇ．  Ｓ．  Ｓｈａｐｏｖａｌによる評論記事（Ｃａｔｈｏｄｉｃ  ｉｎｉｔｉａｔｉｏｎ  ｏｆ  ｒｅａｃｔｉｏｎｓ  ｏｆ  ｍａｃｒｏｍｏｌｅｃｕｌｅ  ｆｏｒｍａｔｉｏｎ  ａｎｄ  ｄｅｇｒａｄａｔｉｏｎ（高分子の形成と分解の反応の陰極による開始），  Ｔｈｅｏｒｅｔｉｃａｌ  ａｎｄ  Ｅｘｐｅｒｉｍｅｎｔａｌ  Ｃｈｅｍｉｓｔｒｙ，  Ｖｏｌｕｍｅ  ３０，  Ｎｕｍｂｅｒ  ６，  Ｎｏｖｅｍｂｅｒ  １９９５）に記述されている。
【００１１】
米国特許第６，６２０，３０８号Ｂ２は、航空機産業で使用される材料を開示している。公開されているこの特許から明らかなように、この材料は米国空軍の監督の下で開発されている。この材料は被覆と接着に使用するために開発されている。接着剤による接合とポリマー被覆とが製造された物品の組み立てと仕上げとに一般に使用されることが米国特許第６，６２０，３０８号でさらに詳細に説明されている。接着剤による接合は、機械加工のコストが低く、製造工程での適応性がより高い複数の接合を実現するように、ねじ、ボルト、リベットなどの機械的な締結要素の代わりに使用されると説明されている。接着剤による接合は応力を均等に分散させ、疲労の可能性を減少させ、腐食性種から接合部分を密閉することがさらに説明されている。同様に、ポリマーベースの被覆が製造された製品の外部表面に一般的に塗布されることがさらに主張されている。これらの被覆は、表面を腐食性の反応物質から密閉する複数の保護層をもたらすことに加えて、見て美しい塗装表面を実現する。
【００１２】
米国特許第６，６２０，３０８号Ｂ２で開示されている組成物は、マトリクス機能および電解質機能を有しており、電解質機能はブロック共重合体またはグラフト共重合体によってもたらされる。マトリクス機能は、基体への接着剤による結合をもたらし、電解質機能は、組成物と接触している導電性表面との境界で通電反応を助ける組成物への十分なイオン伝導性をもたらし、それによって境界で接着接合を弱くする。
【００１３】
組成物は、複数の第１の領域つまり実質的にマトリクス機能と、実質的に電解質の機能の複数の第２の領域とを有している相分離組成物であってもよい。
【００１４】
本発明の目的は、公知の流通用パッケージに関する問題をなくすか少なくとも減少させる解決策を提供することである。
【課題を解決するための手段】
【００１５】
この目的は、輸送中または流通中に、そして可能ならば店舗の棚の上等での展示配置中にも、または販売と消費者の家への輸送中にさえ、パッケージなどの複数の第２の物品を一時的に１つに保持するように構成されているまたはそれに適した接続要素または梱包要素の提供によって達成される。これは以下で詳細に説明することになる。接続要素は、基部部材であって、第１の第２物品を該基部部材に対して保持するように構成されている第１の接着領域と、第２の第２物品を該基部部材に対して保持するように構成されている第２の接着領域とを備えた基部部材を有し、両接着領域は電気的に弱くできる接着剤を有する。
【００１６】
電気的に弱くできる接着剤を有する両接着領域を備えている接続要素を使用することによって、新しい種類の流通用の解決策をもたらすことができる。接続要素は、複数のパッケージや、他の種類の複数の製品や物品を１つに保持するために使用することができる。
【００１７】
接続要素は、たとえば、パレットまたは一式のパッケージの下方または上に配置されている板の形状の複数の部材として構成することができる。複数のパッケージを接続要素に対して保持することによって、一式のパッケージと接続要素は取り扱い性が向上した流通ユニットを構成することになる。店員が流通ユニットを展示棚上の定位置に配置したときに、複数のパッケージは電圧を電気的に弱くできる接着剤に印加することによって容易に分離することができる。どのような流通用パッケージも裂いたり切断したりすることが一切必要ないため、複数の製品つまりパッケージと周囲の展示棚との間に余分の空間は必要ない。一実施態様によれば、店員は、パレットリフタ上の積み重ねられた製品から８つのパッケージの組を展示棚へ単に滑らせ、８つのパッケージは下敷きと上の板とによって１つに保持されている。その後、店員は、内部電池を作動させ、電気的に弱くできる接着剤を備えている複数の接着領域に電圧を印加し、それによって上の板を複製のパッケージから分離する。店員は上の板を展示棚から引き出し、下敷きの内部電池を作動させ、それによって複数のパッケージを下敷きからも分離して棚への配置を終了する。消費者が複数のパッケージを棚から取るときに、複数のパッケージは下敷きからすでに分離されているので、複数のパッケージを棚と下敷きから容易に取ることができる。場合によっては、複数のパッケージを流通中に使用されている接続要素から分離してから、展示棚に１つずつ置くことも考えられる。
【００１８】
接続要素は、基部部材であって、第１の第２物品を基部部材に対して保持するように構成されている第１の接着領域と、第２の第２物品を基部部材に対して保持するように構成されている第２の接着領域とを備えた基部部材を有し、両接着領域は、電気的に弱くできる接着剤を受け入れるように構成されている第１の活性表面を有しており、第１活性表面は電気的に弱くできる接着剤に電圧を印加するように構成されている電気回路の一部分を構成している、半完成製品として供給することもできる。この構成において、接続要素には活性表面が設けられているが、電気的に弱くできる接着剤は、接続要素が第２物品に接続されるときに活性表面に塗布されるように構成されている。接続要素の複数の利点を、両接着領域に塗布されている電気的に弱くできる接着剤を備えている接続要素の実施態様を参照して詳細に前述した。
【００１９】
前述の目的は、パッケージであって、第１の接着領域を有し、第１接着領域によって１つまたは２つ以上の他のパッケージに一時的に接続されるように構成されており、接着領域は電気的に弱くできる接着剤を有する、パッケージの提供によっても達成されている。一式のパッケージが、流通中に電気的に弱くできる接着剤を備えている１つまたは２つ以上のパッケージによって１つに保持される。複数のパッケージを分離する場合に関して、さまざまな変形例が考えられる。店員は一式のパッケージを展示棚に持ち上げ、それから、一緒に配置するが、互いに分離するようにして、それらのパッケージを分離する。このように、店員が流通用解決策を使用することができるであろうが、消費者は現在の解決策と比較して何ら違いに気づくことはない。複数のパッケージを分離して、それから棚に一つずつ置くことも考えられる。これは、複数のパッケージをパッケージの組として扱うには重すぎるかかさばりすぎる場合に適している。消費者が複数のパッケージを棚から持ち上げるときに、パッケージが隣り合ったパッケージから消費者によって分離されることも考えられる。これによって、このパッケージが以前に分離されたことがないという情報が消費者に伝わる。これは、たとえば、冷蔵製品または冷凍製品の場合に有用であって、製品を分離しなければならない場合、他の消費者がその製品をショッピングカートに入れて店舗内を歩き回り、それから気が変わってそれをフリーザーに戻していないことがわかる。また、複数のパッケージが１つにまとめられ、まとめて販売され、消費者が製品を家の戸棚に入れるときや、パッケージを開けようとしたときに初めて分離されることさえ考えられる。これは、たとえば、パスタとパスタソースなどの第１の製品と１つまたは２つ以上の関連製品とを、まとめたパッケージとして販売するときに使用できる。
【００２０】
パッケージは、第１の接着領域を有し、第１接着領域によって１つまたは２つ以上の他のパッケージに一時的に接続されるように構成されており、接着領域は電気的に弱くできる接着剤を受け入れるように構成されている第１の活性表面を有しており、第１活性表面は電気的に弱くできる接着剤に電圧を印加するように構成されている電気回路の一部分を構成している半完成製品として提供することもできる。
【００２１】
この構成において、パッケージには活性表面が設けられているが、電気的に弱くできる接着剤は、パッケージが１つまたは２つ以上の他のパッケージに接続されるときに活性表面に塗布されるように構成されている。パッケージの複数の利点を接着領域に塗布されている電気的に弱くできる接着剤を備えているパッケージの実施態様を参照して詳細に前述した。
【００２２】
印加される電圧は、電気的に弱くできる接着剤の所望の弱くする態様によって直流か交流のいずれかとすることができる。電圧は、たとえば、電池などの外部電源によって、電磁波によって、またはパッケージが異なる電位の異なる材料の複数の活性表面を備えるように構成して、それによって内部電池を構成することによって印加することができる。
【００２３】
本発明の好ましい実施態様は、添付の請求の範囲から明らかになる。前述の説明による接続要素とパッケージとの好ましい実施態様を、互いを関連させて説明する。
【００２４】
接続要素またはパッケージには、各接着領域に電圧を印加するのに使用されるように構成されている少なくとも１つの導体を設けることができる。接続要素またはパッケージ上の第１導体は１つまたは２つ以上の第２物品上の第２導体と組み合わされて各接着領域に電圧を印加するように構成されている。これは、たとえば、前述の束ねる場合に適しているが、それは使用可能な包みの表面全体を使用可能なためである。これは、消費者が複数のパッケージを棚から取り上げたときに、複数のパッケージを分離する場合の解決策にも有用である。このようにして、起動部分つまりスイッチを、取り上げるパッケージ上に配置するのに対して、活性要素を他のパッケージに配置することができる。それによって、たとえば、分離されるパッケージ上の一方の活性表面（導電性であって電気的に弱くできる接着剤に電圧を印加するのに使用されるように構成されている）と、棚に残されるパッケージ上の他方の活性表面（導電性であって電気的に弱くできる接着剤に電圧を印加するのに使用されるように構成されている）とを備えている構成を使用することができる。電気的に弱くできる接着剤を、残すパッケージの活性表面から分離することによって、接着剤の固まりを一切残すことなく、美的に魅力的なパッケージが残ることになる。
【００２５】
接続要素またはパッケージには、各接着領域に電圧を印加するのに使用されるように構成されている一式の少なくとも２つの導体が設けられていてもよい。これによって、多くの場合、パッケージまたは接続要素の構成と製造とを容易にできるが、これは活性パッケージまたは接続要素がすべての必要な構成要素を保持しているからである。それによって、接続要素またはパッケージを、接続のための準備をさまざまな種類のパッケージで一切する必要なしに、これらのパッケージに接続することができる。これは、関連する製品のパッケージが電気回路の一部分を保持するように選択することが経済的に現実的でない場合に、たとえば短いキャンペーンの間だけまとめておくときに有利である。
【００２６】
パッケージは、複数の接着領域を備えることができ、第１の接着領域はパッケージを第２のパッケージに一時的に接続するように構成されており、第２の接着領域はパッケージを第３のパッケージに一時的に接続するように構成されていてもよい。このように、活性パッケージは、３つのパッケージを１つにまとめるように構成することができる。そのような構成は複数のパッケージが千鳥状に配置されるときにも使用可能で、その場合、たとえば、各パッケージが、パッケージの幅の半分に相当する距離ほど反対方向にそれぞれの方向でずれて配置されている２つの隣接しているパッケージに接続される。
【００２７】
複数の接着領域は互いに離れていてもよい。このようにすることで、接続要素またはパッケージはまとめられている複数のパッケージや物品を安定させることになる。パッケージは、パッケージを第２のパッケージに接続するように構成されている第１と第２の接着領域を有していてもよい。それによって、パッケージは第２のパッケージに安定して接続されることになる。
【００２８】
複数の接着領域は電気的に並列に互いに接続されている。このようにすることで、電圧を電気回路に印加し、それによって、同じ電圧を同時にすべての接着領域に印加し、それによってすべての接着領域を同時に分離することが容易になる。
【００２９】
導体は、外部の電源に接続されるように構成されている複数の接続部分を有していてもよい。これは、電気的に弱くできる接着剤が流通の目的で使用されており、店員によって分離される解決策には特に有効である。これによって簡単な構成がもたらされ、比較的強力な電圧を印加することが可能で、それによって強力な接着領域を破壊し、或いは弱くすることができる。これによって、交流電圧を電気的に弱くできる接着剤に容易に印加することもできる。
【００３０】
接続要素またはパッケージは、複数の接着領域を通して互いに接続されている第１と第２の導体を有していてもよい。これは、複数の接着領域の前述の並列な結合を設けるための簡単な方法である。
【００３１】
接続要素またはパッケージの基部部材は、プラスチップ、紙、厚紙、またはガラスなどの非導電性材料で構成することができる。このようにすることで、複数の導体を、非導電性材料上に印刷されたまたは積層された複数の導体として簡単に設けることができる。複数の絶縁層などを備えているより複雑な積層構造に対する差し迫った要求はないであろう。
【００３２】
接続要素またはパッケージの基部部材は厚紙で構成されていてもよい。この材料は、接続要素またはパッケージを厚紙で実現するのが容易なため、好ましい。また、厚紙は通常非導電性でもあるため、たとえば印刷や積層技法を使用して厚紙に電気回路を設けるのが容易である。
【００３３】
接続要素またはパッケージは、導電性であって、互いに離れて構成されており、電気回路を通して互いに電気的に接続可能に構成されている第１と第２の活性表面さらに有し、電気的に弱くできる接着剤は第１と第２の活性表面の間の距離を埋めるように構成されていてもよい。このようにすることで、電気的に弱くできる接着剤にわたって制御された状態で電圧を印加することができる。２つの活性表面は、２つの異なる電位に接続して、電気的に弱くできる接着剤にわたって電位差を発生させることが可能である。前述のように、電圧は多数の方法で印加可能である。
【００３４】
接続要素またはパッケージは、作動され、複数の導体に接続されて、閉じた電気回路内でそれぞれの接着領域に電圧を印加するように構成されている内部電力源を有していてもよい。このようにすることで、パッケージまたは接続要素はどこでも、だれでも分離することができる。これは、消費者が複数のパッケージを棚から取り上げたときに複数のパッケージが消費者によって分離される解決策や、まとめられている複数のパッケージが購入後に分離される解決策に対しては特に有用である。
【００３５】
第１活性表面は第１の電極電位を備えている第１の材料であって、第２活性表面は第２の電極電位を備えている第２の材料であって、第１電極電位は第２電極電位とは異なってもよい。このようにすることで、両活性表面はそれ自体が内部電力源として動作することになり、電気的に弱くできる接着剤の外側の電気回路を通して互いに接続されたときに、電気的に弱くできる接着剤を通して電流を発生することになる。
【００３６】
接続要素またはパッケージは、少なくとも１つの印刷されているおよび／または積層されている電池をさらに有していてもよい。これは、内部電力源を設けるのに都合のよい方法である。
【００３７】
少なくとも１つの印刷されたおよび／または積層された電池は、第１支持層上に印刷されてもよい。これは、内部電力源を構成する電池を設けるのに都合のよい方法である。以下で示すように、第１支持層は、１つまたは２つ以上の活性表面を保持するのに使用することもできる。それによって、電池と第１支持層上の１つまたは２つ以上の活性表面との間が容易に接続される。
【００３８】
接続要素またはパッケージは、第１表面を備えている第１支持層をさらに有し、第１と第２活性表面は支持層によって支持されており、第１活性表面は第２活性表面から基体の表面に沿った第１の距離離れており、積層構造が両活性表面の間の距離を埋める電気的に弱くできる接着剤を受け入れるように構成されていてもよい。このようにすることで、１つの支持層上の両活性表面を備えている構造の複数の部分をあらかじめ製造することができる。接続要素またはパッケージをまとめるときには、電気的に弱くできる接着剤が両活性表面に塗布され、第２物品が接着剤上に乗せられ、それによって接続要素と複数の第２物品またはパッケージとが互いに接続される。この構成によって、両活性表面を電気的に弱くできる接着剤の層の全く同一の側に設け、それによって全く同一の接続要素またはパッケージの上に設けることができる。そのような構成によって、任意の回路を設けることが容易になるが、それは、そのような場合に、回路は接続要素と第２物品またはパッケージとの間のどのような境界も跨ぐ必要もないからである。
【００３９】
両活性表面の少なくとも一方の一部分は、露出して、接着剤に覆われるように構成されていてもよい。このようにすることで、電気的に弱くできる接着剤は、それ自体が、この活性表面への導電性の跨る部分を実現することになる。
【００４０】
第１活性表面の少なくとも一部分と、第２活性表面の少なくとも一部分とは露出して、接着剤に覆われるように構成されている。このようにすることで、電気的に弱くできる接着剤は、それ自体が、両活性表面への導電性の跨る部分を実現することになる。
【００４１】
両活性表面は支持層の表面上の第１活性表面の突出部が支持層の表面の第２活性表面の突出部を本質的に囲むように形作られていてもよい。このようにすることで、電気的に弱くできる接着剤が破壊され、または、弱くされる領域は両活性表面に比較して大きくなるであろう。このようにすることで、両活性表面内の抵抗によるエネルギーの損失が最小化されることになる。さらに、このようにすることで、接着剤をかなり集中して弱くでき、それによってパッケージが容易に開けるようになるであろう。
【００４２】
第１表面上の第１活性表面の突出部は第１表面上の第２活性表面の突出部とは少なくとも部分的に互いに重なっており、積層構造は第１と第２の活性表面の間の少なくとも重なった部分に設けられている絶縁層をさらに有していてもよい。重なっている両活性表面と、それらの間の複数の絶縁層とを設けることによって、支持層の平面内で分離しなければならないことによって制限されることなく、電気的に弱くできる領域の形状を最適化することができる。
【００４３】
第１活性表面は、第１支持層の表面上の突出部が第１支持層の表面上の第２活性表面の突出部を囲むようにして、閉じたループに構成することができ、第２活性表面は第１活性表面の閉じたループから外へ延びている接続部分を有しており、電気絶縁層はその接続部分を第１活性表面から分離していてもよい。このようにすることによって、電位は、電気的に弱くできる接着剤によって、第２活性表面の全周にわたって、第１活性表面まで届くことになる。これによって、第２の活性表面の大きさに比較して大きな弱くなった部分ができることになる。
【００４４】
パッケージまたは接続要素は、第１と第２の活性表面の間の距離を埋めており、両活性表面と第２支持層との間に配置されるように構成されている電気的に弱くできる接着剤をさらに有してもよい。たとえば、複数の活性表面が設けられているが、電気的に弱くできる接着剤が複数の活性表面上には一切無い状態で複数のパッケージが食品製造者に販売されてもよいことに注意してもよい。それから、パッケージが満たされ、以降の流通用に閉じられるときに、電気的に弱くできる接着剤が塗布されてもよい。
【００４５】
パッケージまたは接続要素は、電気的に弱くできる接着剤と第２支持層との間に位置するように構成されている層として配置されている電気的に弱くできない接着剤をさらに有していてもよい。このようにして、両活性表面と電気的に弱くできる接着剤とを備えている構造をあらかじめ製造し、それから、パッケージまたは接続要素がパッケージに初めて接続されるときに従来の接着剤をさらにその上に塗布することができる。接続要素またはパッケージが１つまたは２つ以上の第２パッケージから分離されるときに、電気的に弱くできる接着剤が弱くされ、従来の接着剤は両活性表面が設けられていないパッケージと共に分離されることになる。電気的に弱くできる接着剤の２つの層を設けることも考えられ、一方の層は製造前の段階で、第２の層は接続要素またはパッケージが複数の第２のパッケージに接続されるときに設けられる。
【００４６】
前述の目的は、取り扱い用要素を構成する物品であって、少なくとも１つの第２の物品を取り扱い用要素に対して一時的に保持するように構成されている第１接着領域と、取り扱い用要素と取り扱い用要素に接続されている第２物品とが取り扱われるように構成される係合領域とを有し、接着領域は電気的に弱くできる接着剤を有する物品によっても達成することができる。そのような構成は、たとえば、棚の上の消費者向け物品を取り扱い、飾るために有用である。そのような構成を、たとえば、今日ではプラスチックカバーの後ろの厚紙上に置かれている複数の鉛筆や同様の製品を飾るために使用することができる。電気的に弱くできる接着剤を使用して、物品を厚紙上に直接接続するのに使用することができる。
【００４７】
本発明の好ましい実施態様は、添付の請求の範囲から明らかになる。
【００４８】
物品は、少なくとも１つの第２の物品を取り扱い用要素に対して一時的に保持するように構成されている第２の接着領域をさらに有し、第２接着領域は電気的に弱くできる接着剤を有していてもよい。
【００４９】
この第２接着領域は、第１の第２物品を取り扱い用要素にさらに固定し、あるいは他の第２物品を取り扱い用要素に固定するのに使用することができる。
【００５０】
取り扱い用要素は両接着領域の間に位置している係合領域を備えているスリングを構成してもよい。このようにすることで、スリング形状の部分を、２つ以上の第２物品を棚の上などに運び、または、つり下げるためのハンドルとして使用して、取り扱い用要素に接続されている１つまたは２つ以上の第２物品を容易に取り扱うことができる。
【００５１】
複数の接着領域は互いに離れていてもよい。このようにすることで、取り扱い用要素が取り扱い用要素に接続されている１つまたは２つ以上の第２物品を安定させることになる。
【００５２】
パッケージと接続要素に関して詳細に説明した実施態様の特徴は取り扱い用要素にも適応可能なことにも注意されたい。様々な特徴の利点についても接続要素とパッケージに関して詳細に説明した。その詳細な説明を参照されたい。
【００５３】
接続要素、パッケージ、および取り扱い用要素を構成する物品をさまざまな態様で組み合わせることができることにも注意してもよい。
【００５４】
電気的に弱くできる接着剤を使用して互いに接続されている１つまたは２つ以上のパッケージの流通を促進するように取り扱い用要素を使用することも考えられる。そのような構成においては、複数のパッケージを互いに分離する電圧の印加によって、複数のパッケージから取り扱い用要素も分離することも考えられる。一実施態様では、第１の活性パッケージが通常のパッケージに接続されており、両方のパッケージが取り扱い用要素に接続されている。他の実施態様では、数個の活性パッケージが互いに、そして取り扱い用要素に接続されている。
【００５５】
いずれにせよ、取り扱い用要素に接続されている複数の物品は、接続要素によって接続されていてもよい。一実施態様によれば、数個の活性パッケージが一方では電気的に弱くできる接着剤を有している複数の接着領域を使用して互いに接触させて並べて接続されており、他方では、たとえば下敷きを構成している接続要素に接続されている。複数のパッケージと接続要素とのこの構成を、たとえば運搬用握りとして使用されるスリングを構成している取り扱い用要素にも接続することができる。
【００５６】
要約すれば、本発明は、パッケージなどの複数の物品の流通の方法であって、接続要素を供給するステップと、少なくとも２つの第２の物品を接続要素の第１と第２の接着領域にそれぞれ接続するステップと、接続要素と、接続要素に接続されている少なくとも２つの第２物品とを流通させるステップと、少なくとも２つの第２物品を接続要素から分離するステップとを有する方法と定めることもできる。
【００５７】
本発明は、複数のパッケージの流通の方法であって、少なくとも１つの（前述のように１つまたは２つ以上の接着領域を備えている）第１パッケージを供給するステップと、少なくとも１つの第２パッケージまたは少なくとも第２の第１パッケージを第１パッケージに接続するステップと、第１パッケージと第１パッケージに接続されている他のパッケージとを流通させるステップと、複数のパッケージを互いに分離するステップとを有する方法と定めることもできる。
【００５８】
本発明は、第２の物品の流通の方法であって、取り扱い用要素（前述のように１つまたは２つ以上の接着領域を備えている）を構成する物品を供給するステップと、少なくとも１つの第２の物品を取り扱い用要素に接続するステップと、取り扱い用要素と、取り扱い用要素に接続されている第２物品とを流通させるステップと、第２物品を取り扱い用要素から分離するステップと、を有する方法と定めることもできる。
【００５９】
本発明を、例として、本発明の現在の好ましい実施態様を示している添付の略図を参照して、より詳細に説明する。
【発明を実施するための最良の形態】
【００６０】
製品の運送または取り扱いとそれに続く分離とにおいて、製品を揃えるために、制御されている剥離する材料を使用することによって、余分の材料の必要性が減少し、製品の流通が促進される。
【００６１】
以下で説明する接続要素、パッケージ、および取り扱い用要素は電気的に弱くできる接着材料を使用する。本発明の接続要素、パッケージ、および取り扱い用要素には、電気的に弱くできる接着材料によって構成されている接合層に接続されている電子および／またはイオンの放出部分と受け取り部分として動作する少なくとも２つの活性表面が備わっている。接合層は、接着性と導電性とを有している。両活性表面の間に電圧が印加され、電流が接着層を通して流れると、接合層と少なくとも一方の両活性表面内またはそれらの間に形成されている複数の接合が破壊されるか弱くなる。したがって、接合層は電気的に弱くできる接着剤を構成する。
【００６２】
電気的に弱くできる接着剤は、両活性表面の間の距離を完全に埋めていてもよいが、必要な電気的および／または機械的接続を実現できる他の材料の複数の追加の層を備えていてもよい。そのような材料は、従来の非導電性の接着剤、ポリマー、ニスなどや、導電性のそれらの材料であってもよい。
【００６３】
電気的に弱くできる材料と活性表面の様々な基本的な構成とを、パッケージの具体的な構成とは別に、最初に詳述する。パッケージのさまざまな構成はその後で詳細に説明する。パッケージの構成を特定の種類の基本構成と組み合わせて説明する場合もある。しかし、これは例示が目的であり、さまざまな基本構成はパッケージのさまざまな構成と組み合わせることができることに注意すべきである。
【００６４】
一実施形態によれば、接合層は、マトリクス機能と電解質機能の両方を有している組成物からなる。マトリクス機能と電解質機能とは、１つの相または数個の独立している相によって構成されてもよい。
【００６５】
マトリクス機能は、複数の表面を互いに機械的にまたは化学的に結合するのに必要な接着性をもたらす。マトリクス機能は、接着性を有しているポリマー、ポリマー樹脂または繊維によって実現することができる。
【００６６】
電解質機能は、通電反応、つまり、材料が酸化されるか還元される電気化学反応や他のなんらかの化学／物理反応を助けるイオン伝導性をもたらす。材料は、一方または両方の活性表面と接合層との間の境界で反応が発生するように選択され構成されることが好ましい。その代わりに、接合層は、反応が接合層内で発生するように構成されていてもよい。これは、たとえば、電解質機能を備えている材料の複数の島をマトリクス材料内に設けることによって実現できる。電解質機能は、材料に塩を加えることによって、またはイオン配位成分を含むようにポリマーを修正することによって実現することができる。
【００６７】
本発明のパッケージに使用されている電気的に弱くできる接着剤は、ＥＩＣ  ｌａｂｏｒａｔｏｒｉｅｓが供給し、米国特許公開第６，６２０，３０８号により詳細に開示されている電気化学的に分離できる組成物ＥｌｅｃｔＲｅｌｅａｓｅ（商標）とすることができる。
【００６８】
図１ａ〜１ｃは、接合層の接合を破壊し、または弱くするように電気エネルギーを印加する方法の３つの異なる代替例の一般的な基本構造を示している。
【００６９】
基本構造は、第１の支持層１と第２の支持層２とを有している。第１の活性層３は第１支持層１の上に積層されている。第２の活性層４は第２支持層２の上に積層されている。両活性層は、電気的に弱くできる接着剤を有する接合層５によって１つに結合されている。
【００７０】
図１ａでは、両活性層３、４の間の電位差は外部電圧源６（＋と−の符号で示している）によって供給されるように構成されている。この外部電圧源は、たとえば手持ち装置内に設けられている電池や、パッケージ、接続要素、または取り扱い用要素に取り付けられており、両活性層３、４に接続可能な電池とすることができる。１つまたは数個の電池は、たとえば、両支持層の１つに印刷または積層し、両活性表面に接続することができる。この構成では、両活性層３、４は同じ材料で構成することができるが、同じ材料で構成する必要はない。両活性表面３、４の間に電圧が印加されると、電流が両活性表面３、４の間を、接合層５を通して流れることになる。これによって、接合層５内の結合または接合層５と一方または両方の活性表面３、４との間の結合が破壊されるか弱くなる。印加される電流は、直流または交流の形態であってよい。直流は、接合層５内または両活性表面３と４の一方と接合層５との間の結合を弱くするために使用するのが好ましい。交流は、接合層５内または両活性表面３、４と接合層５との間の結合を弱くするために使用するのが好ましい。
【００７１】
図１ｂでは、両活性層３、４の間の電位差が、両活性層３、４を異なる電極電位の異なる材質で作ることによってもたらされるように構成されている。２つの活性層３、４が、たとえばスイッチ７を２つの層３、４を接続する位置に移動させることによって接続されると閉じた回路が構成され、電流が接合層５を通して流れることになり、接着結合を破壊し、または弱くすることになる。たとえば、銅と黒鉛とを、電位が異なる両活性層３、４として使用することができる。この構成によって、両活性層３、４の間に接合層５を通した直流の流れが発生することになる。
【００７２】
図１ｃでは、両活性層３、４の間の電位差が、電波などの電磁波をパッケージに与えることによってもたらされている。両活性層３、４または両活性層３、４に接続されている他の部材８を電磁波に曝す、つまり、この電磁波を両活性層３、４の間の電位差に変換するように構成することができる。電磁波によって発生した交流電圧を直接使用し、または半波整流器または全波整流器などの両活性表面に接続されている整流器によって直流電圧に変換することができる。部材８はたとえばアンテナやコイルとすることができる。この構成では、両活性層３、４は同じ材料で構成することができるが、同じ材料で構成する必要はない。
【００７３】
図２〜５は両活性表面が支持層の同じ側に配置されている実施形態を示している。図２、３、および５では、さまざまな層が、わかりやすいように、互いに離して図示されている。しかし、実際には、これらの層が積層構造を構成していることは明らかである。以下の説明では、開示されているさまざまな層は互いに直接接触している必要があり、１つまたは２つ以上の、追加の開示されていない層が開示されている層の間に存在する場合がある。また、直接接触は、場合によって、機械的な接触または電気的な接触を意味することがあることにも注意してもよい。さらに、図１ａ〜ｃで説明した電圧を印加するさまざまな方法に関する教示は、図２〜５の実施形態にも当てはめることができる。
【００７４】
図２は、両活性表面３、４が、図１ａ〜ｃのように電気的に弱くできる接着剤によって構成されている接合層５の両側に２つの独立した層３、４として設けられている代わりに、接合層の同じ側に配置されている実施形態を示している。この構造は、剥離される２つの支持層１、２を有している。両支持層１、２は、紙、厚紙、プラスチックで作られていてもよいが、他の材料も考えられる。両活性表面３、４は、接合層５の一方の側に配置されており、支持層１の表面５ａに沿って距離ｄだけ互いに分離されている。
【００７５】
両活性表面３、４は、第１の支持層１に従来の任意の方法によって付着させてもよいし、たとえば支持層１上にたとえば印刷または積層してもよい。両活性表面３、４は、金属性インクや薄膜などの任意の導電性材料で作ることができる。接合層５は、各活性表面３、４と第２支持層２との間に設けられており、それによって両活性表面３、４を第２支持層２に結合し、さらに、それによって、２つの支持層１、２を互いに結合している。接合層５は、両活性層３、４の間の隙間つまり距離ｄによって構成されている小さいアクセス可能な領域内で、通常は第１支持層１に達している。図２に示しているように、両活性表面の一方３は、他方の活性表面４を部分的に囲んでいる、開いた半円に構成されている分布領域を有している。この他方の活性表面４は、円形に構成されている分布領域を有している。２つの活性表面３、４は、前述の距離ｄによって定められている幅を有している輪の一部分として、この場合は円形の輪の一部分として構成されている隙間を構成している。正方形などの他の形状も考えられる。
【００７６】
両活性表面３、４は、外部電源６とスイッチ７とを有している回路９によっても互いに接続されている、つまり接続可能である。
【００７７】
たとえば、スイッチ７を閉じることによって、両活性表面３、４の間に電圧が印加されると、電流が両活性表面３、４の間を、接合層５を通して流れることになる。これによって、接合層５内の複数の結合または接合層５と一方または両方の活性表面３、４との間の結合が破壊され、または弱くなる。両活性表面３、４の間の第１支持層１のアクセス可能領域は、接合層５が第１支持層１に届いた場合でも、このアクセス可能領域と接合層５との間の結合を破壊するのに必要な力は無視できるほど小さくなるように作ることができる。
【００７８】
電源６は、たとえば、支持層１上に印刷または積層されており、両活性層３、４に接続されている少なくとも１つの電池とすることができる。このようにすることで、電池６と両活性層３、４を支持層上に少なくとも部分的に同じ処理段階で印刷し、または積層することができる。電源を増やすためには、数個の電池を支持層１上に印刷し、両活性表面に接続することができる。これによって、すべての電池と両活性層の少なくとも一部分を支持層上に同じ処理段階で印刷することができ、これはこの構造の製造を容易にする。
【００７９】
図２に示している実施形態の代替の実施形態では、両活性表面３、４は異なる電極電位の異なる材料で構成される。そのような実施形態では、外部電源６が不要になることがある。回路９がスイッチ７によって閉じられると、電流が両活性表面３、４の間を、接合層５を通して流れることになり、それによって接合層５内または接合層５と一方または両方の活性表面３、４との間の結合が破壊されるか弱くなる。
【００８０】
図３と４とは、図２に示した実施形態と同様の種類のさらに他の実施形態を示している。図３と４との実施形態では、両活性表面３、４は絶縁層１０によって同一平面内にはないように分離されているが、第２支持層２に対しては、依然として接合層５の同じ側にある。第１活性表面３は、図２の実施形態では第１活性表面３の一部分を構成しているコネクタ３ａに電気的に接続されている。
【００８１】
絶縁層１０は複数の導電要素を分離し、それらが裂けたり、摩耗したりしないように保護している。コネクタ３ａは、第１活性表面３に接触しているが、コネクタ３ａと第２活性表面４との間は直接接触していない。
【００８２】
第２活性表面４は、図２の実施形態のように第１支持層１上に設けられている。絶縁層１０は、この構造の上に設けられている。絶縁層１０の上方には、第１活性表面３が配置されており、最後に、その上に接合層５が配置されている。第１と第２の活性表面３、４は同一平面内にはないため、第１活性表面３は第２活性表面４の円形端部を完全に囲んでいる円形部材で構成することができる。両活性表面３、４と絶縁層１０とによって、接合層５が埋めるように構成されている両活性表面３、４の間に隙間を設けられる。接合層５は、第２支持層２から第１支持層１までずっと延びていて、第１と第２支持層１、３の間を直接接着していてもよい。
【００８３】
両活性表面３、４は、外部電源６とスイッチ７とを有している回路９によっても互いに接続されている、つまり接続可能である。
【００８４】
たとえば、スイッチ７を閉じることによって、両活性表面３、４の間に電圧が印加されると、電流が両活性表面３、４の間を、接合層５を通して流れることになる。これによって、接合層５内の結合または接合層５と一方または両方の活性表面３、４との間の複数の結合が破壊されるか弱くなるであろう。両活性表面３、４の間の第１支持層１のアクセス可能領域は、接合層５が第１支持層１に届いた場合でも、このアクセス可能領域と接合層５との間の結合を破壊するのに必要な力は無視できるほど小さくなるように作ることができる。
【００８５】
図３と４とに示している実施形態の代替の実施形態では、活性表面３、４は異なる電位の異なる材料で構成されている。そのような実施形態では、外部電源６が不要になることがある。回路９がスイッチ７によって閉じられると、電流が活性表面３、４の間を、接合層５を通して流れることになり、それによって接合層５内または接合層５と一方または両方の活性表面３、４との間の複数の結合が破壊されるか弱くなる。
【００８６】
図５は、図３と４とに示している実施形態の代替の実施形態を示しており、接合層５は第２接合層１１を支持するように構成されている。この第２接合層１１は、導電性がないまたは電気的に弱くできない接着剤で構成されていてもよい。この第２の接着層を設けることによって、第１支持層１を両活性表面３、４と接合層５と共に事前に製造し、それから、第２支持層２を第１支持層１に固定するときに、第２接合層１１を電気的に弱くできる接合層５の上に最終的に塗布することが可能になる。この追加の接合層１１は、図２に示している構成でも使用することができる。
【００８７】
当業者は、前述の複数の実施形態に対するいくつかの代替案と、これらの実施形態の組み合わせが存在することを理解するであろう。これらの代替案のいくつかについて、以下で簡単に説明する。
【００８８】
各活性表面／層は、各支持層上に直接的に、または積層用の層などを通して間接的に配置することができる。活性層は、それ自体で、活性表面と支持層との両方を構成することができる。
【００８９】
前述のように、両活性表面は、同一平面内でおよび／または同一平面内にはないように、分離することができる。両活性表面を同一平面内にはないように分離するために、ワニスなどの絶縁層を使用することができる。複数の絶縁層は、支持層が導電性の場合に、複数の活性表面などの複数の導電性要素を支持層から分離するためにも使用することができる。複数の追加の導電体を、たとえば、構造内の平面内での導電性を向上させるために、接着層と第２支持層との間に配置することもできる。
【００９０】
両活性表面は、導電性の表面や導電体であって、少なくとも一方の支持層上に、被覆、印刷、または積層されていることが好ましい。しかし、両支持層に導電性がある場合、活性表面を追加する必要はない。両活性表面は、銅、アルミニウム、または黒鉛などの任意の導電性材料で構成することができる。両活性表面はたとえば金属製インクの形態であってもよい。
【００９１】
支持層は、電気的な力によって剥離される複数の表面に相当しており、紙、厚紙、ガラス、金属、木材、成形繊維またはプラスチックなどの任意の導電性または非導電性の材料とすることができる。パッケージの開口の２つの対向している側が、たとえば、第１と第２の支持層に相当していてもよい。これは以下でより詳細に説明する。
【００９２】
一実施形態によれば、両支持層はカートン用板紙から構成されており、両活性層は酸化物が付着しているアルミニウム箔から構成されている。両活性表面は、食塩水によって湿らされ、ポリウレタンを有している組成物を使用して１つに結合されている。積層構造に電圧が印加されると、正に帯電した箔のアルミニウム酸化物が溶解し、それによって積層が破壊される。電気的な力は、前述し、図１ａ〜ｃに示した任意の方法によって作用させることができる。
【００９３】
前述の剥離する材料構造は、たとえばパッケージの構造でシールの強度を低下させることが必要なときにはいつでも使用することができる。前述のような材料構造を設けることによって、電圧を印加することによってパッケージを開くことができる。これは、缶、ジャー、瓶、カートン、およびブリスターパッケージなどのあらゆる種類のパッケージで使用可能である。これは、また、紙、厚紙、ガラス、金属、木材、成形繊維またはプラスチックなどのあらゆる種類の材料と共に使用できる。パッケージの開口の２つの対向している側を、第１と第２の支持層とし、前述の剥離材料を両支持層の間に配置することができる。
【００９４】
さらに、制御されている剥離材料は、１つに接合されている複数のパッケージを分離し、および、商品の不正開封を防止するために、製品の運送または取り扱いとそれに続く分離とにおいて製品を揃えるために使用することができる。これは、窃盗を防止するために製品が購入される前に製品の性質を制限し、または変更するためにも使用することができる。製品の揃え、製品の開封防止、または製品の窃盗防止は、制御された剥離材料を使用して、１つまたは２つ以上の製品の複数の既存の部品または要素を１つにまとめることや、複数の追加の要素を１つまたは２つ以上の製品に接合することによって実現できる。
【００９５】
複数のパッケージを１つに保持する一実施形態では、接続要素が複数のパッケージを１つに一時的に保持するように構成されており、接続要素は、第１のパッケージを本体に保持するように構成されている第１の接着領域と、第２のパッケージを本体に保持するように構成されている第２の接着領域とを有している。両接着領域はさらに電気的に弱くできる接着剤、つまり接合層も有している。接続要素には、接合層を通して電流を導通させるように構成されている一式の活性領域が備わっている。
【００９６】
図６は、パレットいっぱいのパッケージ５０ａ〜ｇが、制御されている剥離材料を利用している接続要素５１を使用して連結されている用途を示している。パレットいっぱいの連結によって、複数のパッケージが流通中に損傷したりゆがんだりすることが防止される。個々のパッケージ５０ａ〜ｇは、カートン板シート５１などの接続要素５１の取付けによって揃えられている。複数のパッケージに面している板シート５１の表面または表面の複数の部分には、複数の活性層が印刷されており、接着性ばかりでなく導電性も備えている接合層が複数の活性層と連結されるパッケージ５０との間に塗布されている。店舗において、電圧を複数の活性層にわたって印加し、それによって電流が接合層を流れ、接合層内または接合層と一方または両方の活性層との境界で分離反応を発生させることによって、複数のパッケージ５０をパレット上で分離して展示することができる。
【００９７】
図７〜９は活性層５３、５４をカートン板シート５１上に配置する方法の複数の例を示している。
【００９８】
図７は第１回路９ａがカートン板シート５１上に印刷されている例を示している。第２回路９ｂは、第１回路９ａから離れてカートン板シート５１上に印刷されている。第１回路９ａに接続されて、活性表面５３の第１の組が短い間隔で板シート上に配置されている。活性表面５４の第２の組は、第２回路９ｂに接続されて配置されている。それぞれの第２活性表面５４は、それぞれの第１活性表面５３から短い距離に配置されている。これは図１から５により詳細に示している。図７は図２から５を参照して詳細に説明した構成を示している。
【００９９】
互いから短距離に配置されている各活性表面５３、５４は１対の活性表面５３、５４を構成している。接合層が両活性表面５３、５４と複数のパッケージ５０ａ〜ｇとの間に塗布されている。接合層は各点が両活性表面５３、５４の各対を覆うように、複数の点として塗布されている。両活性表面５３、５４と電気的に弱くできる接着剤５５との組が電気的に弱くできる接着領域を構成している。図７〜１０に示しているように、活性表面５３、５４と付随している電気的に弱くできる接着剤との複数のそのような組が、接続要素５１の周囲に沿って配置されている。図７の接続要素５１は、外部の電力源６（＋と−との記号によって示されている）に接続されるように構成されている。接続要素５１が外部電源６に接続されると、電流が、両活性表面５３、５４と導電性の電気的に弱くできる接着剤との各対を通して第１と第２の回路９ａ、９ｂを流れることになる。
【０１００】
図８に示している実施形態では、両活性表面５３、５４は異なる電位の異なる材料である。両回路９ａ、９ｂも電位の異なるそれぞれの材料であることが好ましい。両回路９ａ、９ｂはスイッチ７によって接続することができる。スイッチが開いているときには、電流は接合層５５を通して流れない。スイッチが閉じていると、電流は両活性表面５３、５４の間の接合層を通して流れ、接合層内または接合層と一方または両方の活性表面５３、５４との間の複数の結合を破壊するか弱くすることになる。
【０１０１】
さらに他の代替の実施形態では、電磁波を作用させることによって電気エネルギーを発生してもよい。図９は、無線周波数などの電磁波が両回路９ａ、９ｂの間に配置されているアンテナ８内に電流を発生されている実施形態の例を示している。
【０１０２】
複数のパッケージを１つに保持する代替の実施形態では、複数のパッケージは制御された剥離される複数の材料を直接使用して１つに保持されてもよい。この実施形態の一例では、複数のパックが１つに保持され、購入後、分離される。そのような構成を図１０と図１１ａ〜ｂに示している。
【０１０３】
図１０は、３つのパッケージが複数の制御されている剥離材料を使用して１つに保持されている例を示している概略図である。すべての構成要素が見えるように２つのパッケージがわずかに分離されている図１１ａ〜ｂを参照して原理をより詳細に説明する。
【０１０４】
図１０と図１１ａ〜ｂでは、左側のパッケージ６０ａには、（図７〜９に詳細を示しているような）２重コネクタ回路９ａ、９ｂと、パッケージ６０ａの手が届く側に位置しているスイッチ７とが設けられている。両回路９ａ、９ｂは、隣のパッケージ６０ｂに面している表面６１ａまで延びている。両回路９ａ、９ｂは、隣のパッケージ６０ｂに面している表面６１ａの周囲に基本的に沿って延びており、図１１ｂに詳細を示しているように複数の活性表面６３、６４と電気的に弱くできる接着層（不図示）とを備えている。
【０１０５】
したがって、この例では、パッケージ６０ａの側部６１ａは第１支持層を構成する。両活性表面６３、６４と、両回路９ａ、９ｂとは、パッケージ６０ａの表面６１ａ上に図２〜５を参照して前述したパターンと同様のパターンで配置することができる。複数の接合層の複数の点を活性表面の各対と第１のパッケージ６０ａに面している他のパッケージ６０ｂの側部６２ｂとの間に塗布し、それによって両パッケージを１つにのり付けすることができる。両回路９ａ、９ｂが開いているときは、接合層６５を通して電流は流れず、両パッケージ６０ａ、６０ｂは１つに接着されたままである。両回路９ａ、９ｂが閉じられると、電流が接合層６５を通して流れ、接合層６５内または接合層６５と一方または両方の支持層６１ａ、６１ｂとの間の複数の結合を弱くするか破壊することになり、両パッケージを容易に分離することができる。例として、両回路９ａ、９ｂは、ユーザがパッケージの外側に配置されているボタンを押し、それによってスイッチ７を閉じることによって閉じることができる。複数の結合を破壊し、または弱くするのに必要な電流は、前述の方法のいずれかによって流すことができる。したがって、両活性表面６３、６４は異なる電位の異なる材料で作られていてもよい。その代わりに、電気エネルギーを外部電源から加えるか、または電磁波によって発生させることができる。さらなる複数の層を両パッケージ２つの接続された表面の間に塗布してもよく、そのような層は、前述のように、絶縁層、さらなる導電層、または従来の接着剤の層であってもよい。
【０１０６】
図１２ａと１２ｂとは、取り扱い用要素７０に接続されているカップ７１と皿７２との形態の一式の第２の物品を示している。
【０１０７】
取り扱い用要素は、カップ７１が接続されている第１の接着領域７３と、皿が接続されている第２の接着領域７４とを有している。両接着領域７３、７４は、円盤つまり板に形作られている取り扱い用要素７０の対向する両側に位置している。取り扱い用要素７０は、（取り付けられているカップと皿と共に）取り扱い用要素を展示用ラックにつり下げるように貫通している開口を備えている延長部分の形態の係合部分７０ａをさらに有している。取り扱い用要素には、外部の電力源に接続するための回路６がさらに設けられている。接着領域は、電気的に弱くできる接着剤を有しており、前述の内容に従って構成することができる。
【０１０８】
図１３は、２つのパッケージ８１と８２の形態の２つの第２の物品に接続されている取り扱い用要素８０を示している。
【０１０９】
取り扱い用要素には、２つの接着領域８３と８４が備わっており、両接着領域８３、８４の間に位置している係合領域８０ａを備えているスリングを構成している。取り扱い用要素８０の２つの接着領域８３、８４は、全く同一の第２物品（またはパッケージ）に接続することができる。１つまたは２つ以上のパッケージは、前述のように一時的に互いに接続されているように構成されている種類であってもよい。取り扱い用要素に接続されている両パッケージは、前述のような接続要素を使用して下部（または上部）でも互いに接続されていてもよい。電力を両接着領域８３、８４の電気的に弱くできる接着剤に印加する態様は、詳細に前述した任意の態様によって実現することができる。
【図面の簡単な説明】
【０１１０】
【図１ａ】電気的に弱くできる接着剤を使用して様々な層が互いに接続されている第１の基本構造を示しており、接着剤を弱くするために電気エネルギーを印加する方法の図である。
【図１ｂ】図１ａに示す第１の基本構造で、接着剤を弱くするために電気エネルギーを印加する代替の方法を示している図である。
【図１ｃ】図１ａに示す第１の基本構造で、接着剤を弱くするために電気エネルギーを印加する別の方法を示している図である。
【図２】第２の基本構造の第１の実施形態の分解図で、接着剤の層と同じ側に両活性表面が配置されている。
【図３】第２の基本構造の第２の実施形態の分解図である。
【図４】図３の構造の断面図である。
【図５】第２の基本構造の第３の実施形態の分解図である。
【図６】１２のパッケージが２つのパネルによって１つに保持されている実施形態の図である。
【図７】図６に示しているパネルの第１の実施形態の図である。
【図８】図６に示しているパネルの第２の実施形態の図である。
【図９】図６に示しているパネルの第３の実施形態の図である。
【図１０】流通ユニットを構成するように１つに保持されている３つのパッケージの図である。
【図１１ａ】互いに分離された後の図１０に示している種類の２つのパッケージの図である。
【図１１ｂ】図１１ａの２つのパッケージの一部分の拡大図である。
【図１２ａ】取り扱い用要素に接続されているカップと皿との形態の一式の第２の物品の図である。
【図１２ｂ】取り扱い用要素に接続されているカップと皿との形態の一式の第２の物品の図である。
【図１３】２つのパッケージの形態の２つの第２の物品に接続されている取り扱い用要素の図である。
【図１ａ】
2009502682.tif 000003
【図１ｂ】
2009502682.tif 000004
【図１ｃ】
2009502682.tif 000005
【図２】
2009502682.tif 000006
【図３】
2009502682.tif 000007
【図４】
2009502682.tif 000008
【図５】
2009502682.tif 000009
【図６】
2009502682.tif 000010
【図７】
2009502682.tif 000011
【図８】
2009502682.tif 000012
【図９】
2009502682.tif 000013
【図１０】
2009502682.tif 000014
【図１１ａ】
2009502682.tif 000015
【図１１ｂ】
2009502682.tif 000016
【図１２ａ】
2009502682.tif 000017
【図１２ｂ】
2009502682.tif 000018
【図１３】
2009502682.tif 000019
【国際調査報告】
2009502682.tif 000020
2009502682.tif 000021
2009502682.tif 000022
2009502682.tif 000023
2009502682.tif 000024